(57)【要約】      （修正有）【課題】探知時の導電シートの移動を防止でき、身体に固定された接触状態を保持できて、長時間着用しても快適な、生理探知装置に適用される吸着接着導電シートを提供する。【解決手段】吸着接着導電シートは導電シート１０、少なくとも１個の接着フィルム２０を有する。少なくとも１個の接着フィルム２０は導電シート１０上に結合され、その表面には微小構造である複数の凸出部２１を形成し、導電シート１０は各凸出部２１の分子間正負電荷の吸引力により皮膚３０上に吸着して接着される。使用時には、各凸出部２１の分子間正負電荷の吸引力を通して皮膚３０上に吸着して接着される設計を通して、探知時の導電シート１０の移動を防止でき、身体表層に固定された接触状態を保持できる。しかも長時間着用しても通気が良いため快適な機能を備え、生理信号の探知を効果的に行うことができる。【選択図】図２
0003213635.tif 000002
【実用新案登録請求の範囲】
【請求項１】
吸着接着導電シートであって、導電シート、少なくとも１個の接着フィルムを有し、
前記少なくとも１個の接着フィルムは、前記導電シート上に結合され、その表面には、微小構造である複数の凸出部を形成し、こうして前記導電シートは、前記各凸出部の分子間正負電荷の吸引力により、皮膚上に吸着して接着されることを特徴とする、吸着接着導電シート。
【請求項２】
前記吸引力は、ファンデルワールス力であることを特徴とする、請求項１に記載の吸着接着導電シート。
【請求項３】
前記各接着フィルムは、前記導電シートの周囲に結合されることを特徴とする、請求項１に記載の吸着接着導電シート。
【請求項４】
前記各接着フィルムは、円形或いは多辺形を呈し、整列配置方式で前記導電シートの表面上に結合されることを特徴とする、請求項１に記載の吸着接着導電シート。
【請求項５】
前記各接着フィルムは、細長い形状を呈し、整列配置方式で前記導電シートの表面上に結合されることを特徴とする、請求項１に記載の吸着接着導電シート。
【請求項６】
前記各接着フィルムは、導電性能を備えることを特徴とする、請求項１或いは３或いは４或いは５に記載の吸着接着導電シート。
【請求項７】
前記結合方式は、粘着接合であることを特徴とする、請求項１或いは３或いは４或いは５に記載の吸着接着導電シート。
【請求項８】
前記導電シートはさらに、信号伝送接点を連接し、しかも前記信号伝送接点はさらに、信号送信機と導電線により連接され、しかも前記信号送信機内には、無線伝送モジュールを設置し、これにより受け取った信号を伝送できることを特徴とする、請求項１に記載の吸着接着導電シート。
【請求項９】
前記導電シートは、さらに導電布、電極シート或いは導電メッキフィルム等の内の任意の一種で、しかも前記導電シートを通して身体皮膚上に密着し、こうして身体表層の生理信号を探知し、
前記生理信号は、体温、心拍、脈拍、呼吸等の内の任意の一種であることを特徴とする、請求項１或いは８に記載の吸着接着導電シート。
【考案の詳細な説明】
【技術分野】
【０００１】
本考案は吸着接着導電シートに関し、特に探知時の導電シートの移動を防止でき、身体表層に固定された接触状態を保持でき、しかも長時間着用しても快適で、生理探知装置に適用される吸着接着導電シートに関する。
【背景技術】
【０００２】
近年、ファブリック中への導電シートの装着に関して、多くの電機メーカーが積極的に研究開発を行っている。
そのファブリックの着用時には、着用者の生理信号を探知でき、それによってその身体機能状態を知り、モニター及び記録を行うことができる。
【０００３】
しかし、導電シートはファブリック上に固定されているため、導電シートを身体表層に接触させても、身体の動きに従いファブリックが動き、ファブリック上に固定されている導電シートがずれてしまうという状況が発生する。
これにより、導電シートが身体表層で生理信号の探知を行う際に、信号中断或いは信号異常の状況がしばしば発生し、導電シートの位置を改めて調整し、或いは身体を静止させた状態に保たなければ、導電シートによる生理信号の探知が行えないという状況が出現している。
【０００４】
上記したように従来の構造には多くの欠点があり、改良の必要がある。
【考案の概要】
【考案が解決しようとする課題】
【０００５】
本考案の目的は、探知時の導電シートの移動を防止でき、身体表層に固定された接触状態を保持でき、しかも長時間着用しても快適で、生理探知装置に適用される吸着接着導電シートを提出することにある。
【課題を解決するための手段】
【０００６】
本考案による吸着接着導電シートは、導電シート及び少なくとも１個の接着フィルムを有する。
該少なくとも１個の接着フィルムは、該導電シート上に結合され、その表面には、微小構造である複数の凸出部を形成し、こうして該導電シートは、該各凸出部の分子間正負電荷の吸引力により、皮膚上に吸着して接着される。
これにより、使用時には、該各凸出部の分子間正負電荷の吸引力を通して皮膚上に吸着して接着される設計を通して、探知時の導電シートの移動を防止でき、身体表層に固定された接触状態を保持でき、しかも長時間着用しても通気が良いため快適な機能を備え、生理信号の探知を効果的に行うことができる。
【考案の効果】
【０００７】
本考案による吸着接着導電シートは、探知時の導電シートの移動を防止でき、身体表層に固定された接触状態を保持でき、しかも長時間着用しても快適である。
【図面の簡単な説明】
【０００８】
【図１】本考案による吸着接着導電シートの立体外観図である。
【図２】本考案による吸着接着導電シートの部分断面模式図である。
【図３】本考案による吸着接着導電シートの別種の実施形態の立体外観図である。
【図４】本考案による吸着接着導電シートのさらに別種の実施形態の立体外観図である。
【考案を実施するための形態】
【０００９】
本考案による吸着接着導電シートは、図１、２に示す通り、導電シート１０及び少なくとも１個の接着フィルム２０を有する。
【００１０】
少なくとも１個の接着フィルム２０は、導電シート１０上に結合され、その表面には、微小構造である複数の凸出部２１を形成し、こうして導電シート１０は、各凸出部２１の分子間正負電荷の吸引力により、皮膚３０上に吸着して接着される。
【００１１】
上述の構成部材の組成により、使用時には、各凸出部２１の分子間正負電荷の吸引力を通して皮膚３０上に吸着して接着される設計を通して、長時間着用しても通気がよく快適な機能を備える。
しかも、導電シート１０の、探知時の移動を防止でき、身体表層に固定された接触状態を保持でき、導電シート１０の移動による生理信号探知への影響を防止でき、こうして正確に生理信号を探知する性能と目的を達成することができる。
【００１２】
さらに図１、図２に示す通り、各凸出部２１の分子間正負電荷の吸引力は、ファンデルワールス力（Ｖａｎ  Ｄｅｒ  Ｗａａｌｓ  Ｆｏｒｃｅ）効果である。
【００１３】
さらに図１、図２に示す通り、本考案の第一実施形態において、各接着フィルム２０は、導電シート１０の周囲に結合され（第一実施形態において、各接着フィルム２０は、導電シート１０の上方周囲に設置され、導電シート１０と各接着フィルム２０は、同一平面上に設置され（図示なし）、各接着フィルム２０は導電シート１０の周縁に接着される）、しかも結合方式は粘着接合である。
【００１４】
さらに図３に示す通り、本考案の第二実施形態において、各接着フィルム２０は、円形或いは多辺形を呈し、整列配置方式で、導電シート１０の表面上に結合され、しかも結合方式は粘着接合である。
【００１５】
さらに図４に示す通り、本考案の第三実施形態において、各接着フィルム２０は、細長い形状を呈し、整列配置方式で、導電シート１０の表面上に結合され、しかも結合方式は粘着接合である。
【００１６】
さらに図１、図２に示す通り、本考案の吸着接着導電シートは好ましくは、生理探知装置（図示なし）上に運用される。
これにより、導電シート１０の、探知時の移動を防止でき、身体表層に固定された接触状態を保持でき、生理信号の探知を効果的に行うことができ、その探知性能を向上させられる。
【００１７】
さらに図１、図２に示す通り、導電シート１０は、信号伝送接点（図示なし）に連接され、しかも信号伝送接点は、信号送信機と導電線により連接される（図示なし）。
しかも、信号送信機内には、無線伝送モジュールを設置し（図示なし）、受け取った生理信号及びその変化を、無線伝送方式を通して、電子設備上（スマートフォン、スマートタブレットコンピューター、ノート型コンピューター、デスクトップコンピューター、医療設備等）或いはクラウド上に伝送する。
こうして、探知結果を知ることができ、予防医療に役立てることができる。
【００１８】
さらに図１、図２、図３、図４に示す通り、導電シート１０はさらに、導電布、電極シート、導電メッキフィルム、或いはポリウレタン（ＰＵ）材質の導電メッキフィルム等の内の任意の一種で、しかも導電シート１０を通して身体皮膚３０上に緊密に接触させられ、こうして身体表層の生理信号を探知する。
その生理信号は、体温、心拍、脈拍、呼吸等の内の任意の一種である。
【００１９】
さらに図１、図２に示す通り、各接着フィルム２０は導電性能を備え、しかも導電シート１０が、各凸出部２１の分子間正負電荷の吸引力を通して皮膚３０上に吸着して接着される時、皮膚３０上の水分３１は同時に各凸出部２１の間の間隙２２中に発散される。
これにより、水分３１は各間隙２２中に充満し、間隙２２中の水分３１中の微量金属、ミネラル質を通して、各接着フィルム２０の導電性能を強化することができる。
また、図３、図４に示す接着フィルム２０も導電性能を備える。
【００２０】
前述した本考案の実施形態は本考案を限定するものではなく、よって、本考案により保護される範囲は後述される実用新案登録請求の範囲を基準とする。
【符号の説明】
【００２１】
１０  導電シート
２０  接着フィルム
２１  凸出部
２２  間隙
３０  皮膚
３１  水分
【図１】
0003213635.tif 000003
【図２】
0003213635.tif 000004
【図３】
0003213635.tif 000005
【図４】
0003213635.tif 000006
【手続補正書】
【提出日】平成29年9月22日(2017.9.22)
【手続補正１】
【補正対象書類名】実用新案登録請求の範囲
【補正対象項目名】請求項９
【補正方法】変更
【補正の内容】
【請求項９】
前記導電シートは、さらに導電布、電極シート或いは導電メッキフィルムの内の任意の一種で、しかも前記導電シートを通して身体皮膚上に密着し、こうして身体表層の生理信号を探知し、
前記生理信号は、体温、心拍、脈拍、呼吸の内の任意の一種であることを特徴とする、請求項１或いは８に記載の吸着接着導電シート。